(57)【特許請求の範囲】
【請求項１】
物品を収納する上側が開放した合成樹脂製の収納ボックスと、
前記収納ボックスの上側開放部周縁のフランジ部上に一体に立設された軸受片と、
前記軸受片の弾性作用により、連結軸が前記フランジ部上面とこの軸受片とで抱持されて、該フランジ部上に回動可能に軸受装着された把手と、
前記把手の装着部分を内包して、前記フランジ部に外嵌固定されたカバーと、を備え、
前記軸受片の上面と、前記カバーとの間には、該軸受片の上下方向の撓み変形を許容する所要のクリアランスが設定され、かつ、
前記軸受片の上面とカバーとの間には、前記クリアランスを埋めて該軸受片の上面を押えるクッション材が介装されていることを特徴とする収納ボックスの把手取付構造。
【発明の詳細な説明】
【技術分野】
【０００１】
本発明は、例えば自動車のラッゲージフロアに配設されて、車載工具類やその他の小物類の収納に便利な収納ボックスの把手取付構造に関する。
【背景技術】
【０００２】
特許文献１には、自動車のラッゲージフロアに配設されて、小物類を収納する上側が開放した収納ボックスが示されている。
【先行技術文献】
【特許文献】
【０００３】
【特許文献１】実開平１０−１２９３５３号公報
【発明の概要】
【発明が解決しようとする課題】
【０００４】
前記収納ボックスは適宜の合成樹脂材をもって型成形されており、その上側開放部の周縁には、フロアパネルの凹陥部周縁に対する収納ボックスの係着，定置と、該収納ボックスの閉蓋を兼ねたラッゲージフロアの定置に便利なようにフランジ部が形成されている。
【０００５】
この収納ボックスは、ラッゲージルーム内，外への出し入れや、持ち運びに便利なように把手を設けることが望まれる。
【０００６】
前記把手の付設形態としては、把手を前記収納ボックスの上側開放部周縁のフランジ部上に回動可能に装着し、収納ボックスをラッゲージフロアに格納する際には把手をボックスの内側に回動して折り込み、収納ボックスの出し入れ時には把手をボックス内側から回動して前記フランジ部上に起立させて、作業者が把持し易いようにすることが望ましい。
【０００７】
そこで、前記把手の連結部側の端部に一対の連結軸を設ける一方、収納ボックスの前記フランジ部上に逆Ｌ字状の軸受片を一体に立設し、この軸受片の弾性作用により前記連結軸をこれらフランジ部上面と軸受片とで抱持して、把手をこのフランジ部上に回動可能に軸受装着することが考えられる。
【０００８】
このような把手の取付構造を採用すれば、前記軸受片の弾性により把手の連結軸周りに所要の回動抵抗（摩擦抵抗）が得られて、把手をボックス内側に折り込んだ格納位置と、把手を前記フランジ部上に回動，起立させた使用位置と、にそれぞれ姿勢保持させることが可能となって良好な使用性を得ることができる。
【０００９】
また、軸受片を逆Ｌ字状に一体に立設することで、把手の組付け時には該軸受片を径外方向に弾性変形させて、軸受片の端末とフランジ部上面との間の間隔を拡開し、この間隙から把手の連結軸を軸受片の内側にくぐり入れて、把手を前記フランジ部上に容易に組付けることも可能である。
【００１０】
しかし、このような把手の取付構造では、前記軸受片が前記フランジ部上に逆Ｌ字状に立設されているために、該軸受片が経時的に径外方向に変形し易い傾向にあり、この軸受片の径外方向の変形によって、前記把手の連結軸周りの回動抵抗が減少して前記把手が自由に回動して当初の姿勢保持機能が失われる不具合を生じてしまう。
【００１１】
この把手の姿勢保持機能の低下を回避するために、前記フランジ部上面における前記把手の連結軸が摺接する部分に、不織布等のクッション材を接着して摺動抵抗を高めることも考えられる。しかし、この対応では把手を繰り返し回動しているうちにクッション材が次第に剥れて、所期する把手の姿勢保持機能を維持できなくなったり、剥れたクッション材が把手を回動する都度粘着して、不快な粘着音が生じる等の不具合を生じてしまう。
【００１２】
そこで、本発明は把手を収納ボックス側壁に沿って回動した格納位置と、把手を収納ボックスの上側開放部周縁のフランジ部上に回動起立させた使用位置と、の姿勢保持機能を長期に亘って維持することができて、使用性を高めることができる収納ボックスの把手取付構造を提供するものである。
【課題を解決するための手段】
【００１３】
本発明の収納ボックスの把手取付構造にあっては、物品を収納する上側が開放した合成樹脂製の収納ボックスと、前記収納ボックスの上側開放部周縁のフランジ部上に一体に立設された軸受片と、前記軸受片の弾性作用により、連結軸が前記フランジ部上面とこの軸受片とで抱持されて、該フランジ部上に回動可能に軸受装着された把手と、前記把手の装着部分を内包して、前記フランジ部に外嵌固定されたカバーと、を備え、前記軸受片の上面と、前記カバーとの間には、該軸受片の上下方向の撓み変形を許容する所要のクリアランスが設定され、かつ、前記クリアランスを埋めて該軸受片の上面を押えるクッション材が介装されていることを主要な特徴としている。
【００１４】
前記軸受片は、その上面とカバーとの間に設定されたクリアランスにより上下方向の撓み変形が許容されているため、把手の連結軸は前記フランジ部上でこの軸受片の上下方向の撓み変形による弾性作用と、該軸受片の上面とカバーとの間で前記クリアランスを埋めて介装されたクッション材の弾性とによって、所要の回動抵抗をもって回動可能に抱持した状態で軸受けされる。
【００１５】
これにより、把手をボックス内，外方向に回動して折り込んだ格納位置、あるいは、把手を上方に回動して前記フランジ部の上方に起立させた使用位置の何れにあっても、把手の自重による回動方向の遊動、即ち、自由回動が阻止されて、該把手が確実に姿勢保持される。
【００１６】
前記クッション材は、前述のように軸受片の上面とカバーとの間にあって、前記連結軸の摺接回動部分には存在していないので、該連結軸の回動によって剥離することはなく、軸受片の押え反力の機能低下が回避される。
【００１７】
一方、軸受片は経時的に径外方向に変形し易い傾向にあるが、前記クッション材が前記クリアランスで弾性圧縮されることでこの軸受片の径外方向の変形が規制される。
【００１８】
この結果、前記軸受片とクッション材との弾性作用による前記連結軸の抱持力の低下が抑制され、該連結軸周りの回動抵抗の減少に起因した把手の姿勢保持機能の低下が回避される。
【発明の効果】
【００１９】
本発明によれば、把手の連結軸を抱持する軸受片の経時的な径外方向の変形が、該軸受片の上面とカバーとの間に設定されたクリアランスにこれを埋めて介装されたクッション材の弾性圧縮作用により規制される。
【００２０】
この結果、軸受片とクッション材との弾性作用による前記連結軸の抱持力の低下が抑制されて、該連結軸周りの回動抵抗の減少に起因した把手の姿勢保持機能の低下が回避され、長期に亘って把手を適正に姿勢保持することができて、使用性が低下するのを回避することができる。
【図面の簡単な説明】
【００２１】
【図１】本発明に係る収納ボックスを示す外観斜視図。
【図２】図１に示した収納ボックスの把手取付け部分の構造を分解して示す斜視図。
【図３】把手の軸受装着部分を示す拡大斜視図。
【図４】図２のＡ−Ａ線に沿う断面図。
【発明を実施するための形態】
【００２２】
以下、本発明の一実施形態を自動車のラッゲージフロアに配設される収納ボックスを例に採って、図面と共に詳述する。
【００２３】
図１，２に示す収納ボックス１は、適宜の合成樹脂材をもって上側が開放した平面短形状に型成形されている。
【００２４】
この収納ボックス１は、自動車のラッゲージフロアＦに形成した開口部Ｆａに落し込んで、該開口部Ｆａに挿脱可能に配設されるもので、前記収納ボックス１の上側開放部の周縁には、前記開口部Ｆａの周縁に形成された図外の棚部上に係止するフランジ部２が一体に形成されている。
【００２５】
このフランジ部２は、収納ボックス１の上側開放部周縁を補剛すると共に、前述のようにラッゲージフロアＦの開口部Ｆａの周縁の棚部上への定置係止部として機能する他、該収納ボックス１の上側開放部を閉塞するリッドＦｂの定置棚部としての機能を併有している。
【００２６】
前記リッドＦｂは、前記ラッゲージフロアＦの開口部Ｆａに配設された収納ボックス  １のフランジ部２上に落し込んだ閉蓋状態で、該ラッゲージフロアＦと略面一に整合して、該ラッゲージフロアＦの一部を構成する。
【００２７】
前記収納ボックス１の車幅方向両側（図１，２の左右方向両側）のフランジ部２Ａには、その車両前後方向（図１，２の上下方向）の中央部分に把手配設部２Ｂが一段低く有段成形されている。この把手配設部２Ｂに、前，後一対の軸受片３が一体に立設されている。
【００２８】
前記軸受片３は、図３，４にも示すように把手配設部２Ｂの内縁側から逆Ｌ字状に形成されていて、その内周には後述する把手１０の連結軸１１に摺接する抱持面３ａが形成されている。
【００２９】
この抱持面３ａは前記連結軸１１の回動中心を中心とする円弧に形成されるが、本実施形態では前記抱持面３ａが形成される部分が全体的に円弧状に形成されている。
【００３０】
前記把手１０は、適宜の合成樹脂材もしくは軽量金属材料をもって略コ字形に形成されている。
【００３１】
この把手１０の連結側端部には、車両前後方向に内向きに略直角に延出する前後一対の連結軸１１が形成されている。
【００３２】
前記把手１０は、その連結軸１１を前記軸受片３を径外方向に拡開した状態で該軸受片３の内側にくぐり入れて、前記把手配設部２Ｂ上に回動可能に抱持した状態で連結される。
【００３３】
前記把手配設部２Ｂには、前記把手１０の装着部分を内包してカバー２０が外嵌固定されている。
【００３４】
前記カバー２０は、適宜の合成樹脂材をもって、上面が前記フランジ部２Ａと略面一に整合する高さで略コ字形断面に形成されている。
【００３５】
前記把手配設部２Ｂの前記カバー２０が被冠される部分の車幅方向両側縁部は、該カバー２０の肉厚相当の段差をもって車幅方向に有段成形されて、車幅方向の面整合が行われるように構成されている（図４参照）。
【００３６】
このカバー２０は、前，後端部が端壁で閉止され、この閉止端には把手１０の連結軸１１が挿通する切欠部２０ａが形成されている。
【００３７】
前記カバー２０は、把手配設部２Ｂに適宜の止着手段により着脱可能に固定される。
【００３８】
例えば、本実施形態では前記把手配設部２Ｂに設けたボルト挿通孔２ａに下面側から図外のボルトを挿通し、カバー２０の内側に突設された図外のボス部にこのボルトで締結して基本的な固定が行われる。
【００３９】
前記軸受片３の上面と、このカバー２０との間には、該軸受片３の上下方向の撓み変形を許容する所要のクリアランスδが設定されている。
【００４０】
本実施形態では、図４に示すように前記カバー２０の内面における前記軸受片３に対応する部分に、カバー断面を横切るようにリブ壁２１が一体に突設され、該リブ壁２１の下縁に前記軸受片３の上面外形よりも僅かに大きく成形した整合縁２１ａを形成して、該整合縁２１ａと軸受片３の上面との間に前記クリアランスδが設けられている。
【００４１】
そして、このリブ壁２１の整合縁２１ａと軸受片３との間に、前記クリアランスδを埋めてクッション材２２が介装され、このクッション材２２によって軸受片３の上面が弾性的に押えつけられている。
【００４２】
クッション材２２として、例えば適宜の厚みの不織布を用いることができ、この不織布を図３に示すように軸受片３の上面に両面接着テープ等の接着剤で接着して簡単に配設することが可能である。
【００４３】
以上の構成からなる本実施形態の把手取付構造によれば、前記軸受片３は、その上面とカバー２０のリブ壁２１との間に設定されたクリアランスδにより上下方向の撓み変形が許容される。一方、把手１０の連結軸１１は、前記把手配設部２Ｂ上で前記軸受片３の上下方向の撓み変形による弾性作用と、該軸受片３の上面とカバー２０のリブ壁２１との間で前記クリアランスδを埋めて介装されたクッション材２２の弾性とによって、所要の回動抵抗をもって回動可能に抱持した状態で軸受けされる。
【００４４】
これにより、把手１０を収納ボックス１の内側に回動して折り込んだ格納位置、あるいは、把手１０を上方に回動して前記把手配設部２Ｂの上方に起立させた使用位置の何れにあっても、把手１０の自重による回動方向の遊動、即ち、自由回動が阻止され、該把手１０の確実な姿勢保持が行われる。
【００４５】
前記クッション材２２は、前述のように軸受片３の上面とカバー２０のリブ壁２１との間にあって、前記連結軸１１の摺接回動部分には存在していないので、該連結軸１１の回動によって剥離することはなく、従って、軸受片３の押え反力の機能低下が回避される。
【００４６】
一方、軸受片３は経時的に径外方向に変形し易い傾向にあるが、前記クッション材２２が前記クリアランスδで弾性圧縮されることでこの軸受片３の径外方向の変形が規制される。
【００４７】
この結果、前記軸受片３とクッション材２２との弾性作用による前記連結軸１１の抱持力の低下が抑制される。
【００４８】
これにより、連結軸１１周りの回動抵抗の減少に起因した把手１０の姿勢保持機能の低下が回避され、長期に亘って把手１０を適正に姿勢保持することができて、使用性が低下するのを回避することができる。
【００４９】
なお、前記実施形態では、カバー２０の内面にリブ壁２１を設けて、該リブ壁２１と軸受片３との間にクリアランスδを設定しているが、仕様によってカバー２０の上壁と軸受片３の上面との間にこのクリアランスδを設定することも可能である。
【００５０】
また、本発明は自動車のラッゲージフロア配設用の収納ボックスに限定されることはなく、各種の物品収納ボックスに適用することが可能である。
【符号の説明】
【００５１】
１…収納ボックス
２，２Ａ…フランジ部
３…軸受片
１０…把手
１１…連結軸
２０…カバー
２２…クッション材
δ…クリアランス
【図１】
0005426341.tif 000002
【図２】
0005426341.tif 000003
【図３】
0005426341.tif 000004
【図４】
0005426341.tif 000005